(57)【要約】【課題】電池パックの収容凹部の側部にスイッチ部が設けられていてもケースおよびカバーが外れ難い携帯端末を提供する。【解決手段】携帯端末１０は、ケース１２に設けられた収容凹部１６と、収容凹部の外側に設けられたスイッチ部１８と、カバー１３に固定された弾性部材２３Ａと、弾性部材が接触する接触面２５Ａと、ケースおよびカバーを固定する固定部３１とを備えている。固定部は、ケースに設けられた一対の第１凸部３２、３３と、カバーに設けられて各第１凸部に係合する一対の第２凸部３５、３６とを有する。さらに、接触面に弾性部材が相対的に押圧される方向と、各第１凸部に対して各第２凸部が外れる方向とを一致させた。【選択図】図３
2013207577.tif 000002
【特許請求の範囲】
【請求項１】
厚み方向に沿って組み合わせられるケースおよびカバーを有する筐体と、
前記ケースに設けられ、電池パックを収容するとともに前記カバーに覆われる収容凹部と、
前記ケースにおける前記収容凹部の外側に設けられたスイッチ部と、
前記ケースおよび前記カバーのうちの一方に固定される弾性部材と、
前記ケースおよび前記カバーのうちの他方に設けられ、前記収容凹部および前記スイッチ部の配列方向に対して交差するとともに前記弾性部材が接触する接触面と、
前記ケースおよび前記カバーを相互に固定するための固定部と、を備え、
前記固定部は、
前記ケースに設けられ、前記配列方向に沿った同一方向に突出する一対の第１凸部と、
前記カバーに設けられ、前記配列方向に沿った同一方向、かつ、前記各第１凸部とは反対側に突出するとともに前記各第１凸部の下側に係合する一対の第２凸部と、を有し、
前記接触面に前記弾性部材が相対的に押圧される方向と、前記各第１凸部に対して前記各第２凸部が外れる方向と、が一致している携帯端末。
【請求項２】
請求項１に記載の携帯端末であって、
前記弾性部材は、前記各第１凸部間および前記各第２凸部間のうちの一方に配置されている携帯端末。
【請求項３】
請求項１または請求項２に記載の携帯端末であって、
前記各第１凸部は、前記スイッチ部から離れる方向に向かって突出している携帯端末。
【発明の詳細な説明】
【技術分野】
【０００１】
本発明は、筐体を構成するケースおよびカバーが厚み方向に沿って組み合わされ、組み合わされたケースおよびカバーが相互に固定された携帯端末に関する。
【背景技術】
【０００２】
携帯端末のなかには、筐体のケースにカバーを固定する固定部として、カバーの両側部に互いに向き合う方向を向く内向き凸部を備え、ケースの両側部に互いに離れる方向を向く外向き凸部を備えたものが知られている（特許文献１）。
この固定部は、一般的な引っ掛け形式の構造で、ケースの外向き凸部にカバーの内向き凸部を係止することによりケースにカバーを係止できる。
【先行技術文献】
【特許文献】
【０００３】
【特許文献１】特開２００７−３３５２０１号公報（図２、図６（ｂ））
【発明の概要】
【発明が解決しようとする課題】
【０００４】
ところで、カメラを搭載した携帯端末で筐体を横使いする場合、電池パックを収容する収容凹部の側部にスイッチ部を配置する構造が採用される。
このため、ケースのスイッチ部近傍に外向き凸部を形成する空間を確保できない。そこで、スイッチ部側に関しては、収容凹部の内面に内向き凸部を形成することになる。
しかし、筐体を横使いする場合に、反対側の内向き凸部の向きと、カバーが外れる方向が同じになるのでケースからカバーが外れ易い。
【０００５】
本発明は、前述した課題を解決するためになされたものであり、その目的は、電池パックの収容凹部の側部にスイッチ部が設けられていてもケースおよびカバーが外れ難い携帯端末を提供することにある。
【課題を解決するための手段】
【０００６】
本発明の携帯端末は、厚み方向に沿って組み合わせられるケースおよびカバーを有する筐体と、前記ケースに設けられ、電池パックを収容するとともに前記カバーに覆われる収容凹部と、前記ケースにおける前記収容凹部の外側に設けられたスイッチ部と、前記ケースおよび前記カバーのうちの一方に固定される弾性部材と、前記ケースおよび前記カバーのうちの他方に設けられ、前記収容凹部および前記スイッチ部の配列方向に対して交差するとともに前記弾性部材が接触する接触面と、前記ケースおよび前記カバーを相互に固定するための固定部と、を備え、前記固定部は、前記ケースに設けられ、前記配列方向に沿った同一方向に突出する一対の第１凸部と、前記カバーに設けられ、前記配列方向に沿った同一方向、かつ、前記各第１凸部とは反対側に突出するとともに前記各第１凸部の下側に係合する一対の第２凸部と、を有し、前記接触面に前記弾性部材が相対的に押圧される方向と、前記各第１凸部に対して前記各第２凸部が外れる方向と、が一致している。
【０００７】
ケースおよびカバーのうちの一方に弾性部材を固定して他方に接触面を設け、接触面に弾性部材を接触させた。また、ケースに設けた一対の第１凸部を同一方向に突出させ、かつ、カバーに設けた一対の第２凸部を各第１凸部と反対側に突出させた。
さらに、接触面に弾性部材が相対的に押圧される方向と、各第１凸部に対して各第２凸部が外れる方向を一致させた。
これにより、各第１凸部に対して各第２凸部が外れようとしても、接触面および弾性部材がストッパの役割を果たし、ケースおよびカバーが動かないようにできる。
【０００８】
本発明の携帯端末は、前記弾性部材は、前記各第１凸部間および前記各第２凸部間のうちの一方に配置されている。
【０００９】
これにより、弾性部材を各第１凸部間および各第２凸部間のうちの一方の内側に配置できるので、一方の外側に空間を確保できる。
【００１０】
本発明の携帯端末は、前記各第１凸部は、前記スイッチ部から離れる方向に向かって突出している。
【００１１】
よって、各第１凸部を設けるための空間をスイッチ部側に確保する必要がない。これにより、電池パックの収容凹部の側部にスイッチ部を設ける空間を確保して、空間にスイッチ部を設けることができる。
【発明の効果】
【００１２】
本発明の携帯端末によれば、接触面に弾性部材が相対的に押圧される方向と、各第１凸部に対して各第２凸部が外れる方向を一致させることにより、接触面および弾性部材がストッパの役割を果たし、ケースおよびカバーが動かないようにできる。
これにより、電池パックの収容凹部の側部にスイッチ部が設けられていてもケースおよびカバーが外れ難い。
【図面の簡単な説明】
【００１３】
【図１】本発明に係る第１実施形態の携帯端末を示す分解斜視図
【図２】第１実施形態の携帯端末を示す平面図
【図３】図２のＩ−Ｉ線断面図
【図４】第１実施形態の固定部を示す分解斜視図
【図５】第１実施形態の要部を示す概念図
【図６】第１実施形態の変形例１を示す概念図
【図７】第１実施形態の変形例２を示す概念図
【図８】第１実施形態の変形例３を示す概念図
【図９】本発明に係る第２実施形態の携帯端末を示す概念図
【図１０】本発明に係る第３実施形態の携帯端末を示す概念図
【発明を実施するための形態】
【００１４】
以下、本発明の実施形態に係る携帯端末について図面を参照して説明する。
【００１５】
（第１実施形態）
図１に示すように、携帯端末１０は、筐体１１と、筐体１１に設けられた電池パック１５の収容凹部１６と、収容凹部１６の外側に設けられたスイッチ部１８と、スイッチ部１８の周囲に設けられたサブカバー２１とを備えている。
さらに、携帯端末１０は、筐体１１のカバー１３に固定されたパッキン２３と、パッキン２３に接触可能な接触面２５Ａと、筐体１１のケース１２およびカバー１３を相互に固定する固定部３１（図３参照）とを備えている。
【００１６】
筐体１１は、略矩形枠状に形成されて表面側に開口１２Ａ（図３参照）を有するケース１２と、ケース１２の裏面側に取り付けられたカバー１３とを備えている。
ケース１２は、一対のケース長辺１２Ｂ、１２Ｃおよび一対のケース短辺１２Ｄ、１２Ｅで平面視略矩形状に形成されている。
【００１７】
図２に示すように、カバー１３は、ケース１２（図１参照）と同様に、一対のカバー長辺１３Ａ、１３Ｂおよび一対のカバー短辺１３Ｃ、１３Ｄで平面視略矩形状に形成されている。
ケース１２およびカバー１３には、カメラのレンズを設けるケース開口部４１（図１も参照）およびカバー開口部４２がそれぞれ形成されている。
【００１８】
図３に示すように、ケース１２およびカバー１３は筐体１１の厚み方向（矢印Ａ方向）に沿って組み合わせられる。
ケース１２の開口１２Ａから筐体１１の内部にシャーシ４４（図１も参照）が収容されている。
ケース１２の開口１２Ａで、かつ、シャーシ４４の表面４４Ａ側に表示部４６が設けられ、表示部４６が保護カバー４７で覆われている。
【００１９】
図１、図３に示すように、ケース１２のうちケース開口部４１の反対側に収容凹部１６が設けられている。
収容凹部１６は、電池パック１５を収容可能に平面視略矩形状に形成され、底部がシャーシ４４で形成された凹部で、開口１６Ａがカバー１３に覆われている。
この収容凹部１６は、一方のケース長辺１２Ｂに沿った第１辺１６Ｂと、他方のケース長辺１２Ｃに沿った第２辺１６Ｃと、一方のケース短辺１２Ｄに沿った第３辺１６Ｄと、他方のケース短辺１２Ｅに沿った第４辺１６Ｅとを有する。
【００２０】
ケース１２のうち一方のケース長辺１２Ｂで、かつ第１辺１６Ｂの外側の部位  にスイッチ部１８が設けられている。
スイッチ部１８は、ケース１２における収容凹部１６の外側の部位に設けられている。
このスイッチ部１８は、第１操作キー１８Ａ、第２操作キー１８Ｂおよび第３操作キー１８Ｃが一方のケース長辺１２Ｂに沿って所定間隔をおいて設けられている。
第１操作キー１８Ａ、第２操作キー１８Ｂおよび第３操作キー１８Ｃの周囲にサブカバー２１が設けられている。
【００２１】
第１操作キー１８Ａ、第２操作キー１８Ｂおよび第３操作キー１８Ｃを外部に露出させるために、カバー１３のうち一方のカバー長辺１３Ａに第１凹部１３Ｅ、第２凹部１３Ｆおよび第３凹部１３Ｇが形成されている。
スイッチ部１８（第１操作キー１８Ａ、第２操作キー１８Ｂおよび第３操作キー１８Ｃ）を一方のケース長辺１２Ｂに設けることにより、携帯端末１０を横持ちしてカメラ撮影する際の使い勝手を良好に確保できる。
カバー１３の裏面１３Ｈに突状部４９が形成されている。
【００２２】
突状部４９は、収容凹部１６を囲むように略矩形枠状に形成され、収容凹部１６の第２辺１６Ｃに対応する箇所に突状辺４９Ａを有する。
突状辺４９Ａは、収容凹部１６およびスイッチ部１８の配列方向（矢印Ｂ方向）に対して交差するように形成されている。
突状部４９の外周にパッキン２３が固定されている。
【００２３】
パッキン２３は、突状部４９の外周に沿って固定されることにより収容凹部１６を囲むように略枠状に形成された弾性変形可能なゴム部材である。
このパッキン２３は、略枠状に形成された部位のうち、突状辺４９Ａに沿って固定された弾性部材２３Ａを有する。
弾性部材２３Ａは、収容凹部１６およびスイッチ部１８の配列方向（矢印Ｂ方向）に対して交差するように形成されている。
すなわち、弾性部材２３Ａは、収容凹部１６を囲む略枠状のパッキン２３の一部を構成する部位である。
【００２４】
ケース１２のうち、パッキン２３の外側で、かつパッキン２３に接触可能にパッキン接触面２５が設けられている。
パッキン接触面２５にパッキン２３を接触させることにより、パッキン接触面２５および突状部４９間の隙間が密閉されて収容凹部１６の防水性が得られる。
【００２５】
パッキン接触面２５のうち、弾性部材２３Ａに対向する部位が接触面２５Ａとなる。
接触面２５Ａは、収容凹部１６およびスイッチ部１８の配列方向（矢印Ｂ方向）に対して交差するように形成され、弾性部材２３Ａが接触されている。
接触面２５Ａおよび弾性部材２３Ａの両外側に固定部３１が設けられている。
【００２６】
図３、図４に示すように、固定部３１は、ケース１２に設けられた一対の第１凸部３２、３３と、カバー１３に設けられた一対の第２凸部３５、３６とを有する。
一対の第１凸部３２、３３のうち、一方の第１凸部３２が収容凹部１６の第１辺１６Ｂに沿って複数個設けられ、他方の第１凸部３３が他方のケース長辺１２Ｃに複数個設けられている。
【００２７】
一方の第１凸部３２は、収容凹部１６に対向する位置に設けられている。
さらに、一方の第１凸部３２は、収容凹部１６およびスイッチ部１８の配列方向（矢印Ｂ方向）に沿った同一方向で、かつ、スイッチ部１８から離れる方向に向かって突出されている。
加えて、一方の第１凸部３２は、一方の第２凸部３５と接触する接触面の先端３２Ａが半径Ｒの湾曲状に形成されている。
【００２８】
他方の第１凸部３３は、収容凹部１６およびスイッチ部１８の配列方向（矢印Ｂ方向）に沿った同一方向で、かつ、スイッチ部１８から離れる方向に向かって突出されている。
さらに、他方の第１凸部３３は、一方の第２凸部３５と接触する接触面の先端３３Ａが半径Ｒの湾曲状に形成されている。
【００２９】
一対の第２凸部３５、３６のうち、一方の第２凸部３５が突状部４９から収容凹部１６に向けて突出された複数の突片４９Ｂに設けられ、他方の第２凸部３６が他方のカバー長辺１３Ｂに複数個設けられている。
一方の第２凸部３５は、収容凹部１６およびスイッチ部１８の配列方向（矢印Ｂ方向）に沿った同一方向で、かつ、一方の第１凸部３２とは反対側に突出するとともに一方の第１凸部３２の下側に係合可能に形成されている。
さらに、一方の第２凸部３５は、一方の第１凸部３２と接触する接触面の先端３５Ａが半径Ｒの湾曲状に形成されている。
【００３０】
他方の第２凸部３６は、収容凹部１６およびスイッチ部１８の配列方向（矢印Ｂ方向）に沿った同一方向で、かつ、他方の第１凸部３３とは反対側に突出するとともに他方の第１凸部３３の下側に係合可能に形成されている。
さらに、他方の第２凸部３６は、他方の第１凸部３３と接触する接触面の先端が半径Ｒの湾曲状に形成されている。
【００３１】
一方の第２凸部３５が一方の第１凸部３２に係合され、他方の第２凸部３６が他方の第１凸部３３に係合されることにより、ケース１２およびカバー１３が相互に固定される。
この状態において、図５に示すように、接触面２５Ａに弾性部材２３Ａが相対的に押圧される方向が、一方の第１凸部３２に対して一方の第２凸部３５が外れる方向や、他方の第１凸部３３に対して他方の第２凸部３６が外れる方向とが一致している。
【００３２】
接触面２５Ａに弾性部材２３Ａが相対的に押圧される方向を矢印Ｃ方向で示す。
また、一方の第１凸部３２に対して一方の第２凸部３５が外れる方向や、他方の第１凸部３３に対して他方の第２凸部３６が外れる方向を矢印Ｄ方向で示す。
【００３３】
よって、一方の第１凸部３２に対して一方の第２凸部３５が外れようとし、他方の第１凸部３３に対して他方の第２凸部３６が外れようとしても、接触面２５Ａおよび弾性部材２３Ａがストッパの役割を果たし、ケース１２およびカバー１３の動きを阻止できる。
これにより、電池パック１５の収容凹部１６の側部（すなわち、一方のケース長辺１２Ｂ）にスイッチ部１８が設けられていてもケース１２およびカバー１３を外れ難くできる。
【００３４】
ここで、一対の第１凸部３２、３３間に弾性部材２３Ａが配置され、一対の第２凸部３５、３６間に弾性部材２３Ａが配置されている。
これにより、弾性部材２３Ａを一方の第１凸部３２および一方の第２凸部３５の内側（すなわち、収容凹部１６）に配置できるので、一方の外側（すなわち、一方のケース長辺１２Ｂ）にスイッチ部１８を設ける空間を確保できる。
【００３５】
さらに、一方の第１凸部３２は、スイッチ部１８から離れる方向に向かって突出されている。
よって、一方の第１凸部３２を設けるための空間をスイッチ部１８側に確保する必要がない。これにより、電池パック１５の収容凹部１６の側部（すなわち、一方のケース長辺１２Ｂ）にスイッチ部１８を設ける空間を確保して、空間にスイッチ部１８を設けることができる。
【００３６】
このように、一方のケース長辺１２Ｂにスイッチ部１８（第１操作キー１８Ａ、第２操作キー１８Ｂおよび第３操作キー１８Ｃ）を設けることにより、携帯端末１０を横持ちしてカメラ撮影する際の使い勝手を良好に確保できる。
【００３７】
次に、第１実施形態の変形例１〜変形例３を図６〜図８に基づいて説明する。
なお、変形例１〜変形例３において第１実施形態の携帯端末１０と同一類似部材については同じ符号を付して説明を省略する。
【００３８】
（変形例１）
第１実施形態ではケース１２に接触面２５Ａを設け、カバー１３に弾性部材２３Ａを固定した例について説明したが、図６に示す変形例１のように、ケース１２に弾性部材５２Ａを固定し、カバー１３に接触面５３を設けることも可能である。
パッキン５２は、ケース１２に固定され、パッキン５２の一部で弾性部材５２Ａが形成されている。
【００３９】
変形例１によれば、接触面５３に弾性部材５２Ａが相対的に押圧される方向が、一方の第１凸部３２に対して一方の第２凸部３５が外れる方向や、他方の第１凸部３３に対して他方の第２凸部３６が外れる方向とが一致している。
【００４０】
よって、一方の第１凸部３２に対して一方の第２凸部３５が外れようとし、他方の第１凸部３３に対して他方の第２凸部３６が外れようとしても、接触面５３および弾性部材５２Ａがストッパの役割を果たし、ケース１２およびカバー１３の動きを阻止できる。
これにより、電池パック１５の収容凹部１６の側部（すなわち、一方のケース長辺１２Ｂ）にスイッチ部１８が設けられていてもケース１２およびカバー１３を外れ難くできる。
【００４１】
（変形例２）
第１実施形態ではケース１２に一対の第１凸部３２、３３を設け、カバー１３に一対の第２凸部３５、３６を設けた例について説明したが、図７に示す変形例２のように形成することも可能である。
変形例２は、カバー１３に一対の第１凸部５５、５６が設けられ、ケース１２に一対の第２凸部５７、５８が設けられる。
【００４２】
変形例２によれば、接触面２５Ａに弾性部材２３Ａが相対的に押圧される方向が、一方の第１凸部５５に対して一方の第２凸部５７が外れる方向や、他方の第１凸部５６に対して他方の第２凸部５８が外れる方向とが一致している。
接触面２５Ａに弾性部材２３Ａが相対的に押圧される方向を矢印Ｅ方向で示す。
また、一方の第１凸部５５に対して一方の第２凸部５７が外れる方向や、他方の第１凸部５６に対して他方の第２凸部５８が外れる方向を矢印Ｆ方向で示す。
【００４３】
よって、一方の第１凸部５５に対して一方の第２凸部５７が外れようとし、他方の第１凸部５６に対して他方の第２凸部５８が外れようとしても、接触面２５Ａおよび弾性部材２３Ａがストッパの役割を果たし、ケース１２およびカバー１３の動きを阻止できる。
これにより、電池パック１５の収容凹部１６の側部（すなわち、一方のケース長辺１２Ｂ）にスイッチ部１８が設けられていてもケース１２およびカバー１３を外れ難くできる。
【００４４】
（変形例３）
変形例２ではケース１２に接触面２５Ａを設け、カバー１３に弾性部材２３Ａを固定した例について説明したが、図８に示す変形例３のように、ケース１２に弾性部材５２Ａを固定し、カバー１３に接触面５３を設けることも可能である。
【００４５】
変形例３によれば、接触面５３に弾性部材５２Ａが相対的に押圧される方向が、一方の第１凸部５５に対して一方の第２凸部５７が外れる方向や、他方の第１凸部５６に対して他方の第２凸部５８が外れる方向とが一致している。
【００４６】
よって、一方の第１凸部５５に対して一方の第２凸部５７が外れようとし、他方の第１凸部５６に対して他方の第２凸部５８が外れようとしても、接触面５３および弾性部材５２Ａがストッパの役割を果たし、ケース１２およびカバー１３の動きを阻止できる。
これにより、電池パック１５の収容凹部１６の側部（すなわち、一方のケース長辺１２Ｂ）にスイッチ部１８が設けられていてもケース１２およびカバー１３を外れ難くできる。
【００４７】
次に、第２実施形態〜第３実施形態を図９〜図１０に基づいて説明する。
なお、第２実施形態〜第３実施形態において第１実施形態の携帯端末１０と同一類似部材については同じ符号を付して説明を省略する。
【００４８】
（第２実施形態）
図９に示すように、第２実施形態の携帯端末６０は、一対の第１凸部６２、６３および一対の第２凸部６５、６６がパッキン６８の内側に配置されたもので、その他の構成は第１実施形態の携帯端末１０と同じである。
【００４９】
パッキン６８は、第１実施形態と同様に、収容凹部１６を囲むように略枠状に形成され、パッキン６８の一部で弾性部材６８Ａが形成されている。
パッキン６８で収容凹部１６を囲むように略枠状に形成することにより収容凹部１６の防水性が得られる。
弾性部材６８Ａは接触面６９に接触されている。
【００５０】
この状態において、第１実施形態と同様に、接触面６９に弾性部材６８Ａが相対的に押圧される方向が、一方の第１凸部６２に対して一方の第２凸部６５が外れる方向や、他方の第１凸部６３に対して他方の第２凸部６６が外れる方向とが一致している。
【００５１】
よって、一方の第１凸部６２に対して一方の第２凸部６５が外れようとし、他方の第１凸部６３に対して他方の第２凸部６６が外れようとしても、接触面６９および弾性部材６８Ａがストッパの役割を果たし、ケース１２およびカバー１３の動きを阻止できる。
これにより、電池パック１５の収容凹部１６の側部（すなわち、一方のケース長辺１２Ｂ）にスイッチ部１８が設けられていてもケース１２およびカバー１３を外れ難くできる。
【００５２】
（第３実施形態）
図１０に示すように、第３実施形態の携帯端末７０は、一対の第１凸部７２、７３および一対の各第２凸部７５、７６がパッキン７８の外側に配置されたもので、その他の構成は第１実施形態の携帯端末１０と同じである。
【００５３】
パッキン７８は、第１実施形態と同様に、収容凹部１６を囲むように略枠状に形成され、パッキン７８の一部で弾性部材７８Ａが形成されている。
パッキン７８で収容凹部１６を囲むように略枠状に形成することにより収容凹部１６の防水性が得られる。
弾性部材７８Ａは接触面７９に接触されている。
【００５４】
この状態において、第１実施形態と同様に、接触面７９に弾性部材７８Ａが相対的に押圧される方向が、一方の第１凸部７２に対して一方の第２凸部７５が外れる方向や、他方の第１凸部７３に対して他方の第２凸部７６が外れる方向とが一致している。
【００５５】
よって、一方の第１凸部７２に対して一方の第２凸部７５が外れようとし、他方の第１凸部７３に対して他方の第２凸部７６が外れようとしても、接触面７９および弾性部材７８Ａがストッパの役割を果たし、ケース１２およびカバー１３の動きを阻止できる。
これにより、電池パック１５の収容凹部１６の側部（すなわち、一方のケース長辺１２Ｂ）にスイッチ部１８が設けられていてもケース１２およびカバー１３を外れ難くできる。
【００５６】
なお、本発明に係る携帯端末は、前述した実施形態に限定されるものではなく適宜変更、改良等が可能である。
例えば、前記第１実施形態〜第３実施形態では、本発明を携帯端末１０に適用させた例について説明したが、これに限らないで、その他の電子機器に本発明を適用させることも可能である。
【００５７】
また、前記第１実施形態〜第３実施形態で使用した携帯端末、筐体、ケース、カバー、電池パック、収容凹部、スイッチ部、パッキン、弾性部材、接触面、固定部、一対の第１凸部および一対の第２凸部等の形状や構成は例示したものに限定するものではなく適宜変更が可能である。
【産業上の利用可能性】
【００５８】
本発明は、筐体がケースおよびカバーを備え、ケースおよびカバーが厚み方向に沿って組み合わされ、組み合わされたケースおよびカバーが相互に固定された携帯端末への適用に好適である。
【符号の説明】
【００５９】
１０、６０、７０  携帯端末
１１  筐体
１２  ケース
１３  カバー
１５  電池パック
１６  収容凹部
１８  スイッチ部
２３、５２、６８、７８  パッキン
２３Ａ、５２Ａ、６８Ａ、７８Ａ  弾性部材
２５Ａ、５３、６９、７９  接触面
３１  固定部
３２、３３、５５、５６、６２、６３、７２、７３  一対の第１凸部
３５、３６、５７、５８、６５、６６、７５、７６  一対の第２凸部
【図１】
2013207577.tif 000003
【図２】
2013207577.tif 000004
【図３】
2013207577.tif 000005
【図４】
2013207577.tif 000006
【図５】
2013207577.tif 000007
【図６】
2013207577.tif 000008
【図７】
2013207577.tif 000009
【図８】
2013207577.tif 000010
【図９】
2013207577.tif 000011
【図１０】
2013207577.tif 000012